(57)【要約】【課題】光明石の効能を十分に発揮させることができ、一般家庭の浴槽内で使用するのに適した人工温泉器を提供する。【解決手段】上半部が半球状の浮体２と下半部が上面の開口した半球状の容器３とを開口面側で着脱可能に連結し、浮体２の中央部の上下方向に所定の断面積を有し容器３の開口面に連通する通水路４を設け、容器３の下半部に多数の小孔５を形成し上半部に上下方向に延びる長孔６を周方向に多数形成し、容器３の外周面に滑り止め８を形成し、容器３内に温浴効果を有する光明石１０を収容する。【選択図】図４
0003230111.tif 000002
【実用新案登録請求の範囲】
【請求項１】
上半部が半球状の浮体と下半部が上面の開口した半球状の容器とを開口面側で着脱可能に連結し、前記浮体の中央部の上下方向に所定の断面積を有し前記容器の開口面に連通する通水路を設け、前記容器の下半部に多数の小孔を形成し上半部に上下方向に延びる長孔を周方向に多数形成し、前記容器の外周面に滑り止めを形成し、前記容器内に温浴効果を有する光明石を収容したことを特徴とする人工温泉器。
【請求項２】
容器内の中央部に上下方向に突起部を形成し、通水性を有する袋内に光明石を収納した請求項１に記載の人工温泉器。
【請求項３】
容器の外周部に形成する滑り止めは、浅い凹弧状の環状溝を同心円状に複数形成したものである請求項１又は２に記載の人工温泉器。
【請求項４】
容器内に収容する光明石の量を１．５ｋｇとした請求項１〜３のいずれか１項に記載の人工温泉器。
【考案の詳細な説明】
【技術分野】
【０００１】
本考案は、浴槽中の浴湯に浮かべて温浴効果を付与する簡易な人工温泉器に関する。
【背景技術】
【０００２】
従来、鉱物に湯を接触させることにより温浴効果を発揮させる簡易な人工温泉器として特許文献１がある。この特許文献１において用いている鉱物として、トルマリン、湯の華鉱石、麦飯石が挙げられているが、これらの鉱物では温浴効果が弱く、その効能は弱いものであった。
【０００３】
ところで、岡山県産の天然鉱石光明石は温浴効果が高いものとして知られているが、その従来の使用方法としては、木製又は金属製で通水孔を有する箱体内に砕いた光明石を収容し、これを浴槽内に沈めて使用するのが一般的であった。広い大浴場では問題ないが、一般家庭の浴槽など狭い浴槽内に箱体を沈めて使用するには浴槽が狭く邪魔になる。また、沈めただけでは湯と光明石との接触流通量が少なく、その効能を十分発揮させ難いものであった。
【先行技術文献】
【特許文献】
【０００４】
【特許文献１】特開２００４−１３０１５５号公報
【考案の概要】
【考案が解決しようとする課題】
【０００５】
そこで、本考案は、光明石の効能を十分に発揮させることができ、一般家庭の浴槽内で使用するのに適した人工温泉器を提供することを目的とする。
【課題を解決するための手段】
【０００６】
上記課題を解決するために、請求項１に係る人工温泉器は、上半部が半球状の浮体と下半部が上面の開口した半球状の容器とを開口面側で着脱可能に連結し、前記浮体の中央部の上下方向に所定の断面積を有し前記容器の開口面に連通する通水路を設け、前記容器の下半部に多数の小孔を形成し上半部に上下方向に延びる長孔を周方向に多数形成し、前記容器の外周面に滑り止めを形成し、前記容器内に温浴効果を有する光明石を収容したこと、を特徴としている。
請求項２に係る考案は、容器内の中央部に上下方向に突起部を形成し、通水性を有する袋内に光明石を収納したものである。
請求項３に係る考案は、容器の外周部に形成する滑り止めは、浅い凹弧状の環状溝を同心円状に複数形成したものである。
請求項４に係る考案は、容器内に収容する光明石の量を１．５ｋｇとしたものである。
【考案の効果】
【０００７】
請求項１に係る考案によれば、特に、容器の上半部に形成した多数の長孔により容器内外の湯の流通性が格段に高まり、光明石による温浴効果を高めることができる。本考案の人工温泉器は浴槽内の浴湯に浮かせて使用するので、一般家庭の浴槽内で使用するのに好適である。
請求項２に係る考案によれば、容器内の中央部に上下方向に突起部を形成し、通水性を有する袋内に光明石を収納したので、人工温泉器を揺すっても、袋内に収納された光明石は突起部により、安定して容器内に収容できる。砕いた光明石は揺すると互いの接触により細かく砕けて微粉が生じ易く、袋内に収納することにより微粉が容器外に漏れ出して浴槽を汚すことを防止できる。
請求項３に係る考案によれば、容器の外周部に形成する滑り止めは、浅い凹弧状の環状溝を同心円状に複数形成したものとしたので、浅い凹弧状の環状溝部に指先が掛り、滑りを防止できる。
請求項４に係る考案によれば、容器内に収容する光明石の量を１．５ｋｇとしたので、一般家庭の浴槽に使用するのに適している。
【図面の簡単な説明】
【０００８】
【図１】本考案の実施例を示す正面図である。
【図２】図１の底面図である。
【図３】図１の平面図である。
【図４】本考案の実施例を示す断面図である。
【図５】使用状態を説明する断面図である。
【考案を実施するための形態】
【０００９】
以下、本考案の実施例を図面に基づいて具体的に説明する。本考案に係る人工温泉器１は、上半部が半球状で所定の浮力を有する浮体２と、下半部が上面が開口した半球状の容器３とを開口面側で嵌合させて着脱可能に連結して合体させたもので、上半部の浮体２には中央部の上下方向に所定の断面積を有して容器３の開口面に連通する通水路４を設けてある。浴湯から人工温泉器１を持ち上げる際、この通水路４から水が抜けるので、抵抗なく持ち上げることができる。
【００１０】
下半部の半球状の容器３にはその下半部の周壁に多数の小孔５を形成して容器３内外を通水可能としてある。また、容器３の上半部の周壁には上下方向に延びる長孔６を周方向に多数形成して容器３内外を通水可能としてある。
【００１１】
容器３の外周面には、浅い凹弧状の環状溝７を同心円状に複数形成した滑り止め８を形成してある。浅い凹弧状の環状溝部７に指先が掛り、滑りを防止できる。後述するように、容器３内には１．５ｋｇの光明石を収容しかなり重いので、滑り易いと危険であり、滑り止め８は重要である。なお、滑り止め８の形状は、浅い凹弧状の環状溝７に限定されるものではなく、他の形状であってもよい。
【００１２】
容器３内の中央部には、上下方向に突起状の突起部９を形成してある。そして、容器３内には適当な大きさに砕いた光明石１０を多数収容してある。光明石１０は通水性を有する袋１１内に収納してある。容器中央部に設けた突起部９により光明石１０を収納した袋体１１が安定し、使用中、浴槽内で揺らしても、バランスが崩れ難くなる。砕いた光明石１０は揺すると互いの接触により細かく砕けて微粉が生じ易いが、光明石１０を袋１１内に収納することにより微粉が容器３外に漏れ出して浴槽を汚すことを防止できる。
【００１３】
図に示した人工温泉器１の寸法は直径が約１８ｃｍ、高さが約１７．５ｃｍである。通水路４の直径は約３ｃｍである。容器３内に収容する光明石１０の量は１．５ｋｇ程度としてある。一般家庭の浴槽の内容量約２００リットルに対して約１．５ｋｇの光明石の量が温浴効果を発揮させるために必要な量とされている。
【００１４】
光明石１０は、岡山県阿部鉱山産の天然鉱石で、多種多様な水溶性ミネラル成分を含有し、医薬部外品の浴用剤として承認されたものである。含有するミネラルとしては、塩化カルシウム、硫酸カルシウム、炭酸水素カルシウム、塩化カリウム、塩化ナトリウム、硫酸ナトリウム、塩化マグネシウム、硫酸マグネシウム、炭酸水素マグネシウム、珪酸、硫酸カリウムが挙げられる。
係る光明石１０を入れて入浴すると、ミネラル成分が浴湯に溶け出し、よく温まり血行を促進し、神経痛や疲労回復に効果を発揮する。
【００１５】
これらの温浴効果を十分に発揮させるためには、光明石１０と浴湯とをよく接触させることが重要である。このため、容器３内外の浴湯の流通量を十分に確保する必要がある。これを確保するために、容器３の上半部に周方向に多数形成した長孔６が重要である。
【００１６】
上半部の浮体２の浮力は、容器３内に光明石１０を収容した状態で、浴湯に浮遊する程度にしてある（図５）。浮体２内には発泡スチロール材１２などの浮力の大きな資材を充填して十分な浮力を確保するようにしてある。なお、符号１３は浮体２から発泡スチロール材１２を出し入れする際に指を掛ける指掛け穴である。
浮体２の外周面には周方向に延びる突条１４を周方向に所定のピッチで形成した滑り止め１５を同心円状に３列形成してある。但し、この滑り止め１５は必ずしも設けなくてもよい。 
【００１７】
上半部の浮体２と下半部の容器３とを着脱可能に連結してあるので、使用により汚れた場合には、容器３を浮体２から取外し、光明石１０を取り出して洗浄することができる。なお、図１において、符号１６は、上半部の浮体２と下半部の容器３とを着脱可能に連結する際の位置合わせの目印である。
【００１８】
次に、本考案による人工温泉器１の使用法を説明する。浴槽内に本考案による人工温泉器１を浮遊させ、適宜揺らす。すると、容器３内で湯と光明石１０とが接触してミネラル成分が浴湯に溶け出し、通水孔６，５を通じて容器３外に流れ出し浴槽内の浴湯の温浴効果が高められ、体が温められ心身のリラックスが得られる。この際、容器３内外の通水孔６，５、特に容器３の上半部の長孔６は流通量が多く、温浴効果を有する湯が多量に流通可能で、温浴効果を十分に発揮させることができる。
【符号の説明】
【００１９】
１  人工温泉器
２  浮体
３  容器
４  通水路
５  小孔
６  長孔
７  環状溝
８  滑り止め
９  突起部
１０  光明石
１１  袋
１２  発泡スチロール材
１３  指掛け穴
１４  突条
１５  滑り止め
１６  目印
【図１】
0003230111.tif 000003
【図２】
0003230111.tif 000004
【図３】
0003230111.tif 000005
【図４】
0003230111.tif 000006
【図５】
0003230111.tif 000007